(57)【要約】  火災を鎮静化して消火するよう燃焼成分を分離するとともに隔離するよう定められた特定の周波数、電力および持続時間を有する電磁波の周波数波動パターンを伝送する電子火災鎮静化方法。この火災鎮静化方法を実施するための装置が電力供給源および電磁波送信器を含む。電磁波送信器は、定められた周波数、電力および持続時間を有する周波数波動パターンを伝送することができる。この装置は、火災の動作周波数を検出し、分析し、そしてこれを標的とする１つまたは２つ以上の周波数受信器、分析器、および制御装置をさらに含むのが良い。
2020506022.tif 000002
【特許請求の範囲】
【請求項１】
火災における燃焼を電子的に鎮静化する方法であって、
電磁波送信器を用意するステップを含み、
前記電磁波送信器によって生じた周波数波動パターンを前記火災中に差し向けるステップを含み、前記周波数波動パターンは、各々が２．５Ｈｚから１２８．０ＧＨｚまでの範囲にある周波数を有する１つまたは２つ以上の電磁波を含み、
前記周波数波動パターンによって前記火災中の燃焼成分の相互作用を阻止するステップを含む、方法。
【請求項２】
前記周波数波動パターン中の各電磁波は、最大１，０００フィート（３０４．８ｍ）離れたところまで火災について０．１Ｗから４．０Ｗまでの範囲の電力を有し、前記周波数波動パターン中の各電磁波の周波数と電力は、反比例の関係を有する、請求項１記載の方法。
【請求項３】
前記周波数波動パターン中の各電磁波は、前記火災を消すまでの持続時間を有する前記周波数波動パターン中の最終の電磁波を除き、０．１秒から１０秒までの範囲の持続時間を有する、請求項１記載の方法。
【請求項４】
前記周波数波動パターン中の各電磁波の周波数は、昇順か降順かのいずれかの順序付けられた移行を有する、請求項１記載の方法。
【請求項５】
前記阻止ステップは、
前記燃焼成分周波数波動パターンから荷電粒子または荷電場を生成するステップと、
前記荷電粒子または前記荷電場との相互作用によって前記燃焼成分をはじくステップとを含む、請求項１記載の方法。
【請求項６】
前記周波数波動パターン中の各電磁波は、前記火災中の燃焼成分と高調波共振を開始し、前記周波数波動パターンは、前記火災中の前記燃焼成分と自然高調和周波数を定めるよう前記火災の動作振動数を変更する、請求項１記載の方法。
【請求項７】
前記周波数波動パターンは、
・２．９８Ｗの電力で３．５７３Ｈｚの周波数および２．８３秒の持続時間を有する第１の電磁波と、
・２．７５Ｗの電力で１７．６３２Ｈｚの周波数および３．８９秒の持続時間を有する第２の電磁波と、
・２．５７Ｗの電力で４５．８９５Ｈｚの周波数および前記火災を消すまでの連続持続時間を有する第３の電磁波とを含む、請求項１記載の方法。
【請求項８】
前記周波数波動パターンは、
・２．８９Ｗの電力で４．６８９Ｈｚの周波数および４．１３秒の持続時間を有する第１の電磁波と、
・２．７４Ｗの電力で９．３６７Ｈｚの周波数および５．１２秒の持続時間を有する第２の電磁波と、
・２．２５Ｗの電力で３０１．４８２Ｈｚの周波数および前記火災を消すまでの連続持続時間を有する第３の電磁波とを含む、請求項１記載の方法。
【請求項９】
前記周波数波動パターンは、
・２．７７Ｗの電力で１０４．７９４ＫＨｚの周波数および４．９２秒の持続時間を有する第１の電磁波と、
・２．４９Ｗの電力で５４２．２９６ＭＨｚの周波数および５．７９秒の持続時間を有する第２の電磁波と、
・１．６９Ｗの電力で６６．３１２ＧＨｚの周波数および前記火災を消すまでの連続持続時間を有する第３の電磁波とを含む、請求項１記載の方法。
【請求項１０】
前記周波数波動パターンは、
・２．９９Ｗの電力で５．１３５Ｈｚの周波数および１．７４秒の持続時間を有する第１の電磁波と、
・２．５９Ｗの電力で２２．１３５ＫＨｚの周波数および２．６９秒の持続時間を有する第２の電磁波と
・２．２９Ｗの電力で２９．５１３ＭＨｚの周波数および６．６７秒の持続時間を有する第３の電磁波と
・２．１１Ｗの電力で２４３．５４３ＭＨｚの周波数および前記火災を消すまでの連続持続時間を有する第４の電磁波とを含む、請求項１記載の方法。
【請求項１１】
前記周波数波動パターンは、
・２．９４Ｗの電力で１７．３７４Ｈｚの周波数および３．９３秒の持続時間を有する第１の電磁波と、
・２．９５Ｗの電力で２．８３１ＫＨｚの周波数および４．９１秒の持続時間を有する第２の電磁波と
・１．５３Ｗの電力で１４．８２１ＧＨｚの周波数および５．３１秒の持続時間を有する第３の電磁波と
・０．７０Ｗの電力で１２７．３４１ＧＨｚの周波数および前記火災を消すまでの連続持続時間を有する第４の電磁波とを含む、請求項１記載の方法。
【請求項１２】
前記周波数波動パターンは、
・２．９５Ｗの電力で９．０４９Ｈｚの周波数および３．４６秒の持続時間を有する第１の電磁波と、
・２．１７Ｗの電力で１．６３７ＭＨｚの周波数および４．３９秒の持続時間を有する第２の電磁波と
・１．９３Ｗの電力で２．７１９ＧＨｚの周波数および４．８９秒の持続時間を有する第３の電磁波と
・１．１７Ｗの電力で２６．１９８ＧＨｚの周波数および５．５６秒の持続時間を有する第４の電磁波と
・０．６３Ｗの電力で６１．９１４ＧＨｚの周波数および前記火災を消すまでの連続持続時間を有する第５の電磁波とを含む、請求項１記載の方法。
【請求項１３】
前記周波数波動パターンは、
・２．９１Ｗの電力で２５９．７２６ＫＨｚの周波数および５．１３秒の持続時間を有する第１の電磁波と、
・２．７１Ｗの電力で８０３．６７３ＫＨｚの周波数および５．２９秒の持続時間を有する第２の電磁波と
・１．９７Ｗの電力で２６．４８６ＭＨｚの周波数および５．６２秒の持続時間を有する第３の電磁波と
・１．３８Ｗの電力で１．８５１ＧＨｚの周波数および６．８４秒の持続時間を有する第４の電磁波と
・０．９５Ｗの電力で２９．９３６ＧＨｚの周波数および前記火災を消すまでの連続持続時間を有する第５の電磁波とを含む、請求項１記載の方法。
【請求項１４】
電子火災鎮静化装置であって、
３Ｖ〜１０００Ｖ交流電流または直流電流および１００ｍＡｈ〜１ｋＡｈの電流出力を有するよう構成された電力供給源と、
前記電力供給源に電気的に接続されるとともに各々が２．５Ｈｚから１２８ＧＨｚまでの範囲の周波数を有する１つまたは２つ以上の電磁波の周波数波動パターンを発生させるよう構成された電磁波送信器とを有する、電子火災鎮静化装置。
【請求項１５】
前記電力供給源に電気的に接続されるとともに火災の標的部分中の燃焼成分の動作周波数を検出するよう構成された電磁波受信器と、
前記電磁波受信器および前記電磁波送信器に電気的に接続された受信周波数分析器とをさらに有し、前記受信周波数分析器は、前記火災の前記標的部分中の燃焼成分の前記動作周波数を分析して前記電磁波送信器によって生じた前記周波数波動パターンが前記火災中の前記燃焼成分と自然高調波周波数を定めるようにするよう構成されている、請求項１４記載の電子火災鎮静化装置。
【請求項１６】
前記電磁波送信器および前記受信周波数分析器に電気的に接続された制御装置をさらに有し、前記制御装置は、前記１つまたは２つ以上の電磁波の各々の周波数、電力および持続時間を含む前記周波数波動パターンの発生を調節するよう構成されている、請求項１５記載の電子火災鎮静化装置。
【請求項１７】
第２の受信周波数分析器をさらに有し、前記第２の受信周波数分析器は、前記燃焼成分との前記自然高調波周波数を最適化するよう前記火災中の前記燃焼成分に対する前記周波数波動パターンの作用効果を分析するよう構成されている、請求項１６記載の電子火災鎮静化装置。
【請求項１８】
第２の電磁波受信器をさらに有し、前記第２の電磁波受信器は、前記火災の第２の部分中の燃焼成分の動作周波数を検出するよう構成されている、請求項１７記載の電子火災鎮静化装置。
【請求項１９】
前記電磁波送信器および前記第２の受信周波数分析器に電気的に接続された第２の制御装置をさらに有し、前記第２の制御装置は、前記火災鎮静化装置が前記火災の前記標的部分に向けられたとき、各電磁波の周波数、電力および持続時間を含む第２の周波数波動パターンを発生させるよう前記電磁波送信器をプログラムするよう構成されている、請求項１８記載の電子火災鎮静化装置。
【発明の詳細な説明】
【技術分野】
【０００１】
本発明は、消火技術に関する。具体的には、本発明は、火災の鎮静化のために電磁波を利用する消火装置および方法に関する。さらに具体的には、本発明は、あらゆる種類の火災を鎮静化することがわかっている電磁波周波数のパターンおよび持続時間を利用する電子火災鎮静化装置および方法に関する。
【背景技術】
【０００２】
現在、あらゆる利用可能な携帯型および非携帯型消火器および火災鎮静化システムならびに消防車、消防船、および消防用航空機は、火災を鎮静化しまたは終了させる意図を持って水および／またはある形式の化学物質（液体、粉末、フォーム、ガスなど）で火災を消す利用可能な送り出し方法によりこれら物質を別々かまたは組み合わせ状態かのいずれかで用いている。これらの方法は全て、比較的大量の（火災規模に応じて）これら外部物質を必要とし、これら外部の物質は、購入するとともに／あるいは運搬するのに費用が高くつく場合が多い。加うるに、鎮静化物質の中には、ある特定の形式の火災でしか働かずかつ／あるいは使用されたときに相当な追加の損傷を生じさせるものがある。
【発明の概要】
【発明が解決しようとする課題】
【０００３】
したがって、大量の鎮静化物質を購入しまたは運搬する必要なく、あらゆる形式の火災を鎮静化することができる消火装置および／または方法が要望されている。本発明は、これらの要望を満たすとともに他の関連の利点を提供する。
【課題を解決するための手段】
【０００４】
本発明は、水または化学物質を用いない電子消火器に関する。この関係で、「電子」という用語は、火災の形式ではなく火災鎮静化の源を意味している。本発明の電子消火器は、木、紙、電気、化学物質などを含むあらゆる形式の火災を鎮静化するよう作動可能である。
【０００５】
本発明は、例えば、原子、元素、分子などのある特定の成分を互いにはじかせてこれら成分の相互作用を阻止し、それにより火災が自動鎮火するようにする電磁パターンおよび変動状態をなす周波数を放出するための電子回路を用いる。本発明は、先行技術の消火器、消火鎮静化機器および用いられる同様な技術と比較して、多くの利点を有する。
【０００６】
本発明は、携帯型であっても良く据え置き型であっても良い。本発明は、ぼや、家屋または構造物の火災、またはそれどころか大規模森林火災を終らせるよう使用できる。本発明は、構造物全体を通じて火災用スプリンクラの設置の必要性をなくすことができるとともに、さらに消防車がこれら消防車自体の水および化学物質を火災現場まで運搬する必要性をなくすことができる。本発明は、さらに消火栓を公道および私道上に配置する必要性をなくすことができる。本発明によって認識された改良策は、膨大な量の世界の天然資源を節約することができる。
【０００７】
本発明は、火災における燃焼を電子的に鎮静化する方法に関する。本方法は、電磁波送信器を用意するステップと、電磁波送信器によって生じた周波数波動パターンを火災中に差し向けるステップと、周波数波動パターンによって火災中の燃焼成分の相互作用を阻止するステップを含む。周波数波動パターンは、各々が２．５Ｈｚから１２８．０ＧＨｚまでの範囲にある周波数を有する１つまたは２つ以上の電磁波を含む。
【０００８】
各電磁波は、好ましくは、０．１Ｗから４．０Ｗまでの範囲の電力を有する。周波数波動パターン中の各電磁波の周波数と電力は、好ましくは、反比例の関係を有する。周波数波動パターン中の各電磁波は、好ましくは、火災を消すまでの持続時間を有する周波数波動パターン中の最終の電磁波を除き、０．１秒から１０秒までの範囲の持続時間を有する。
【０００９】
周波数波動パターン中の各電磁波の周波数は、昇順か降順かのいずれかの順序付けられた移行を有する。好ましくは、周波数波動パターン中の各電磁波は、火災中の燃焼成分と高調波共振を開始する。周波数波動パターンはまた、好ましくは、火災中の燃焼成分と自然高調和周波数を定めるよう火災の動作振動数を変更する。
【００１０】
特に好ましい周波数波動パターンは、
・２．９８Ｗの電力で３．５７３Ｈｚの周波数および２．８３秒の持続時間を有する第１の電磁波と、
・２．７５Ｗの電力で１７．６３２Ｈｚの周波数および３．８９秒の持続時間を有する第２の電磁波と、
・２．５７Ｗの電力で４５．８９５Ｈｚの周波数および火災を消すまでの連続持続時間を有する第３の電磁波とを含む。
【００１１】
別の特に好ましい周波数波動パターンは、
・２．８９Ｗの電力で４．６８９Ｈｚの周波数および４．１３秒の持続時間を有する第１の電磁波と、
・２．７４Ｗの電力で９．３６７Ｈｚの周波数および５．１２秒の持続時間を有する第２の電磁波と、
・２．２５Ｗの電力で３０１．４８２Ｈｚの周波数および火災を消すまでの連続持続時間を有する第３の電磁波とを含む。
【００１２】
さらに別の特に好ましい周波数波動パターンは、
・２．７７Ｗの電力で１０４．７９４ＫＨｚの周波数および４．９２秒の持続時間を有する第１の電磁波と、
・２．４９Ｗの電力で５４２．２９６ＭＨｚの周波数および５．７９秒の持続時間を有する第２の電磁波と、
・１．６９Ｗの電力で６６．３１２ＧＨｚの周波数および火災を消すまでの連続持続時間を有する第３の電磁波とを含む。
【００１３】
さらに別の特に好ましい周波数波動パターンは、
・２．９９Ｗの電力で５．１３５Ｈｚの周波数および１．７４秒の持続時間を有する第１の電磁波と、
・２．５９Ｗの電力で２２．１３５ＫＨｚの周波数および２．６９秒の持続時間を有する第２の電磁波と
・２．２９Ｗの電力で２９．５１３ＭＨｚの周波数および６．６７秒の持続時間を有する第３の電磁波と
・２．１１Ｗの電力で２４３．５４３ＭＨｚの周波数および火災を消すまでの連続持続時間を有する第４の電磁波とを含む。
【００１４】
さらに別の特に好ましい周波数波動パターンは、
・２．９４Ｗの電力で１７．３７４Ｈｚの周波数および３．９３秒の持続時間を有する第１の電磁波と、
・２．９５Ｗの電力で２．８３１ＫＨｚの周波数および４．９１秒の持続時間を有する第２の電磁波と
・１．５３Ｗの電力で１４．８２１ＧＨｚの周波数および５．３１秒の持続時間を有する第３の電磁波と
・０．７０Ｗの電力で１２７．３４１ＧＨｚの周波数および火災を消すまでの連続持続時間を有する第４の電磁波とを含む。
【００１５】
さらに別の特に好ましい周波数波動パターンは、
・２．９５Ｗの電力で９．０４９Ｈｚの周波数および３．４６秒の持続時間を有する第１の電磁波と、
・２．１７Ｗの電力で１．６３７ＭＨｚの周波数および４．３９秒の持続時間を有する第２の電磁波と
・１．９３Ｗの電力で２．７１９ＧＨｚの周波数および４．８９秒の持続時間を有する第３の電磁波と
・１．１７Ｗの電力で２６．１９８ＧＨｚの周波数および５．５６秒の持続時間を有する第４の電磁波と
・０．６３Ｗの電力で６１．９１４ＧＨｚの周波数および火災を消すまでの連続持続時間を有する第５の電磁波とを含む。
【００１６】
さらに別の特に好ましい周波数波動パターンは、
・２．９１Ｗの電力で２５９．７２６ＫＨｚの周波数および５．１３秒の持続時間を有する第１の電磁波と、
・２．７１Ｗの電力で８０３．６７３ＫＨｚの周波数および５．２９秒の持続時間を有する第２の電磁波と
・１．９７Ｗの電力で２６．４８６ＭＨｚの周波数および５．６２秒の持続時間を有する第３の電磁波と
・１．３８Ｗの電力で１．８５１ＧＨｚの周波数および６．８４秒の持続時間を有する第４の電磁波と
・０．９５Ｗの電力で２９．９３６ＧＨｚの周波数および火災を消すまでの連続持続時間を有する第５の電磁波とを含む。
【００１７】
本発明はまた、上記方法を実施するための電子火災鎮静化装置に関する。この装置は、３Ｖ〜１０００Ｖ交流電流または直流電流および１００ｍＡ〜１ｋＡの電流出力を有するよう構成された電力供給源と、電力供給源に電気的に接続されるとともに各々が２．５Ｈｚから１２８ＧＨｚまでの範囲の周波数および０．１Ｗから４．０Ｗまでの範囲の電力を有する１つまたは２つ以上の電磁波の周波数波動パターンを発生させるよう構成された電磁波送信器とを有する。本装置は、電力供給源に電気的に接続されるとともに火災の標的部分中の燃焼成分の動作周波数を検出するよう構成された電磁波受信器と、電磁波受信器および電磁波送信器に電気的に接続された受信周波数分析器とをさらに有し、受信周波数分析器は、火災の標的部分中の燃焼成分の動作周波数を分析して電磁波送信器によって生じた周波数波動パターンが火災中の燃焼成分と自然高調波周波数を定めるようにするよう構成されている。
【００１８】
電子火災鎮静化装置は、電磁波送信器および受信周波数分析器に電気的に接続された制御装置をさらに有するのが良く、制御装置は、１つまたは２つ以上の電磁波の各々の周波数、電力および持続時間を含む周波数波動パターンの発生を調節するよう構成されている。第２の受信周波数分析器がさらに設けられるのが良く、第２の受信周波数分析器は、燃焼成分との自然高調波周波数を最適化するよう火災中の燃焼成分に対する周波数波動パターンの作用効果を分析するよう構成されている。第２の受信周波数分析器と一緒に第２の電磁波受信器がさらに設けられるのが良い。第２の電磁波受信器は、火災の第２の部分中の燃焼成分の動作周波数を検出するよう構成されている。
【００１９】
第２の制御装置もまた、電磁波送信器および第２の受信周波数分析器に電気的に接続されるのが良い。第２の制御装置は、火災鎮静化装置が火災の標的部分に向けられたとき、各電磁波の周波数、電力および持続時間を含む第２の周波数波動パターンを発生させるよう電磁波送信器をプログラムするよう構成されている。
【００２０】
本発明の他の特徴および他の利点は、添付の図面と関連して以下の詳細な説明を読むと明らかになろう。なお、添付の図面は、例示として、本発明の原理を示している。
【００２１】
添付の図面は、本発明を図示している。
【図面の簡単な説明】
【００２２】
【図１】電力供給源ステージおよび電磁波送信器ステージを示す本発明の好ましい実施形態の機能ブロック図である。
【図２】電力供給源ステージ、電磁波送信器ステージ、およびディスプレイドライバステージを示す本発明の別の好ましい実施形態の機能ブロック図である。
【図３】電力供給源ステージ、電磁波送信器ステージ、ディスプレイドライバステージ、および入力／出力ステージを示す本発明のさらに別の好ましい実施形態の機能ブロック図である。
【図４】電力供給源ステージ、電磁波送信器ステージ、ディスプレイドライバステージ、入力／出力ステージ、および受信器ステージを示す本発明のさらに別の好ましい実施形態の機能ブロック図である。
【図５】電力供給源ステージ、電磁波送信器ステージ、ディスプレイドライバステージ、入力／出力ステージ、受信器ステージ、および受信周波数分析器ステージを示す本発明のさらに別の好ましい実施形態の機能ブロック図である。
【図６】電力供給源ステージ、電磁波送信器ステージ、ディスプレイドライバステージ、入力／出力ステージ、受信器ステージ、受信周波数分析器ステージ、および制御装置ステージを示す本発明のさらに別の好ましい実施形態の機能ブロック図である。
【図７】電力供給源ステージ、電磁波送信器ステージ、ディスプレイドライバステージ、入力／出力ステージ、受信器ステージ、受信周波数分析器ステージ、制御装置ステージ、および第２の受信周波数分析器ステージを示す本発明のさらに別の好ましい実施形態の機能ブロック図である。
【図８】電力供給源ステージ、電磁波送信器ステージ、ディスプレイドライバステージ、入力／出力ステージ、受信器ステージ、受信周波数分析器ステージ、制御装置ステージ、第２の受信周波数分析器ステージ、および第２の受信器ステージを示す本発明のさらに別の好ましい実施形態の機能ブロック図である。
【図９】電力供給源ステージ、電磁波送信器ステージ、ディスプレイドライバステージ、入力／出力ステージ、受信器ステージ、受信周波数分析器ステージ、制御装置ステージ、第２の受信周波数分析器ステージ、第２の受信器ステージ、および第２の制御装置ステージを示す本発明のさらに別の好ましい実施形態の機能ブロック図である。
【発明を実施するための形態】
【００２３】
以下の詳細な説明において、本発明の電子消火器は、図１〜図９において全体が参照符号１０で示されている。電子消火器１０の主要コンポーネントは、電力供給源１２および周波数波動送信器１４である。
【００２４】
次に本発明を詳細に参照すると、本発明の電子消火器１０は、特定パターンの火災鎮静化依存周波数、振幅、変調、帯域幅、および高調波を備えた変動状態の電磁波を放出することによって燃焼および／または火災を鎮静化する。これら特定のパターンは、一時的に互いに遠ざけられるべき燃焼の成分、例えば特定の原子、特定の元素、特定の分子、特定の化合物などを分離し、隔離し、そして排除し、それにより燃焼が続くのに必要なこれら成分相互間の相互作用を途絶させ、それにより燃焼または火災がそれ自体持続する能力をなくすことによって火災鎮静化を促進する。
【００２５】
本明細書において説明する電磁波は、性質上機械的である波動からは区別されることに注目することが重要である。かかる機械的波動（例えば、音、サーフ（surf）など）は、代表的には、伝えるべきある種の媒体（例えば、空気、水など）を必要とするとともに媒体内でのある形式の変位を生じさせる。これとは対照的に、電磁波は、伝えるべき媒体を必要としない。以下の詳細な説明は、火災鎮静化源としての電磁波の使用に関する。
【００２６】
本明細書で用いられる「燃焼成分」という用語は、燃焼に必要であると見なされる原子、元素、分子、化合物などを意味することが意図されている。火災は、３つのもの、すなわち燃料、熱および空気を必要とすることが一般的に是認されている。これは、特に、空気が主として空気の含む酸素について考慮される場合に成分の極めて単純な見方である。事実、空気は、酸素、炭素、窒素、および水素（これらには限定されない）を含む燃焼に寄与する多くの成分ならびに同一の共通元素で構成された成分を有する分子を含む。空気のこれら成分の大部分は、ある仕方で燃焼を促進する。
【００２７】
周波数波動パターンは、これら燃焼成分相互間の相互作用を途絶させるが、燃焼波動パターンの続行はまた、変動状態の周波数が火災中に放出されている限り、これら燃焼成分が一緒に戻って火災を再燃させるのを阻止する。火災をいったん消すと、周波数波動パターンを停止させることができ、と言うのは、火災は、再点火する点火源を持たないからである。周波数波動パターンを終了させた後、成分の全ては、さらに燃焼する懸念なく、どのようなスペースが利用可能であってもこれを再び占めるようになる。
【００２８】
本発明によって放出される変動状態の周波数およびこれらの高調波は、酸素、炭素、窒素、および水素を含む大気中で一般的に見受けられる成分のほぼ全てならびに同一元素で構成された成分のほぼ全てならびに分子を分離することができる。これらは、燃焼に必要な基本的成分のうちの幾つかであり、これら成分のうちの１つまたは２つ以上の分離は、燃焼を阻止する。
【００２９】
周波数、電力および持続時間の正確な関連属性が特定のパターンについて構成される限り、燃焼／火災鎮静化のために使用できる非常に多くの周波数波動パターンが存在する。多数の利用可能な周波数波動パターンが可能であり、と言うのは、以下の機構が多数回にわたって互いにトリガすることができるからである。これら仕組みは、次の通りである。
・周波数波動パターンは、ある特定の粒子、イオン、原子、元素、分子、および化合物が交差することができない反発ビームを構成する。
・周波数波動パターンは、燃焼／火災を持続させるのに必要な特定種類の粒子、イオン、原子、元素、分子、および化合物の相互作用を阻止する。
・周波数波動パターンは、火災中のある特定の粒子、イオン、原子、元素、分子、および化合物を燃焼／火災から消散させまたは噴出させる高調波共振周波数を開始させる。
・周波数波動パターンは、燃焼／火災の「動作周波数」と相互作用し、それにより燃焼／火災の「動作周波数」を途絶させるとともに変更する。
・周波数波動パターンにより燃焼／火災を燃焼／火災中の粒子、イオン、原子、元素、分子、および化合物が燃焼プロセスと相互作用してこれを続行させることができないようになるまで変動するその自然高調波周波数に到達させる。
【００３０】
周波数波動パターンは、単一の電磁波から成っていても良くまたは多数の電磁波から成っていても良い。全ての周波数波動パターンに関する周波数の全範囲は、２．５００ヘルツ（Ｈｚ）〜１２８．０００ギガヘルツ（ＧＨｚ）である。上述したように、電子消火器は、媒体を必要とし、またはその媒体の物理的運動を生じさせる音波、音響波、または他の波を利用しない。先行技術の装置の中には、火災を「吹き消す」試みにおいて空気を通るかかる音波または音響波を利用するものがある。本明細書で説明するように、電子消火器は、燃焼成分と相互作用してかかる燃焼成分の相互作用を阻止するよう電磁波の変動を利用する。
【００３１】
電磁波のための電力の全範囲は、０．１ワット（Ｗ）〜４．００Ｗである。電磁波の持続時間の全範囲は、燃焼／火災を消すまで効果的に連続である周波数波動パターン中の最終電磁波を除き、一般に０．１秒〜１０秒である。周波数波動パターンに関する要件の一般的指針としては、パターン中の開始電磁波は、このパターンが単一の電磁波から成るのでなければ、０．１秒〜１０秒の持続時間を有し、この場合、単一の電磁波は、火災を消すまで維持される。加うるに、周波数波動パターン中の周波数が高いと、火災鎮静化のための実現可能性という文脈において低い周波数を維持する電磁波と比較して、特定の電磁波を長い持続時間にわたって維持することが必要である。
【００３２】
加うるに、任意の特定の電磁波に関する電力出力は、周波数波動送信器から最大１，０００フィート（３０４．８ｍ）の距離について０．０１Ｗ〜４．０Ｗであることが必要である。周波数と電力は、反比例の関係を有し、例えば、火災鎮静化のための実現可能性に関する限り、低い周波数は、高い周波数よりも大きな電力を必要とする。１，０００フィートよりも長い距離についてはこれよりも大きな電力出力を必要とする場合がある。適正な周波数、電力、および持続時間特定を利用する場合、本発明が作用する火災に効果的な最小距離または最大距離が存在しない。十分に大きな伝送周波数ワット数により、本発明は、５マイル（８．０５ｋｍ）以上の距離のところで作用することができる。このことは、森林火災に用いられる航空機または他の類似の移動ビークルに取り付けられた装置にとって有益である。しかしながら、当業者であれば認識されるように、火災からの距離が増大するにつれて、周波数波動パターンとの干渉の妨害の可能性が増大する。
【００３３】
好ましくは、周波数波動パターン中の電磁波の周波数は、昇順の順序か降順の順序かのいずれかである。周波数波動パターン中の周波数の移行状態は、周波数移行状況において増大と減少の両方を含むパターンと比べて、燃焼成分の所望の高調波変動を生じさせる可能性が多分にあることが観察された。
【００３４】
火災鎮静化のための幾つかの特に好ましい周波数波動パターンは、次の通りである。
【００３５】
パターン１
2020506022.tif 000003
【００３６】
パターン２
2020506022.tif 000004
【００３７】
パターン３
2020506022.tif 000005
【００３８】
パターン４
2020506022.tif 000006
【００３９】
パターン５
2020506022.tif 000007
【００４０】
パターン６
2020506022.tif 000008
【００４１】
パターン７
2020506022.tif 000009
【００４２】
周波数および波長の表示は、次の通りである。
2020506022.tif 000010
【００４３】
本発明は、本発明の周波数波動パターンを放出するよう構成された装置１０を火災中の一点に直接向けることによって用いられる。この装置によって放出された周波数波動パターンは、火災の成分に影響を及ぼすので、火災は、これが消える時点まで衰え始めることになる。この時点で装置を次に火災の別の区分に向け、ついにはこの区分を消すようにする。このプロセスは、火災全体を消すまで続けられる。大規模火災（すなわち森林火災）の場合、この装置をビークル（すなわち航空機、飛行機、ヘリコプタ、船舶、車、トラックなど）に取り付けるのが良く、そしてこの装置は、ビークル内のワイヤードまたはワイヤレスリモートによって制御される。使用方法は、ほぼ同じである。
【００４４】
図１に示されているように、電子消火器１０の最も基本的な実施形態は、電力供給源ステージ１２と、周波数送信器ステージ１４とから成る。電力供給源ステージ１２は、周波数送信器ステージ１４から必要な電圧および電流を受け取り、使用し、あるいはかかる電圧および電流を周波数送信器ステージに送ることができるよう周波数送信器ステージ１４に電気的に接続されている。電力供給源ステージ１２もまた、データ、通信、および制御情報を受け取り、使用し、またはデータ、通信、および制御情報を周波数送信器ステージ１４に送ることができる。
【００４５】
電力供給源ステージ１２は、広範な入力電圧を有することができる。一実施形態では、電力供給源ステージ１２は、好ましくは、３ボルト交流電流（ＶＡＣ）から１０００ＶＡＣまでの範囲にある電圧入力を有し、電流定格は、１００ミリアンペア時間（ｍＡｈ）から１０００アンペア時間（Ａｈ）までの範囲にある。かかる交流電流入力電圧は、好ましくは、５０ヘルツまたは６０ヘルツの周波数を有する。変形霊として、電力供給源ステージ１２は、３ボルト直流電流（ＶＤＣ）から１０００ＶＤＣまでの範囲にある入力を有しても良く、電流定格は、１００ｍＡｈから１０００Ａｈまでの範囲にある。電力供給源ステージ１２の電圧および電流出力は、１００ｍＡ〜１ｋＡ（入力電圧および電流に応じて）の電流出力を持つ３ＶＡＣから１０００ＶＡＣまでの範囲にあるのが良くかつ／あるいは１００ｍＡ〜１ｋＡ（これまた、入力電圧および電流に応じて）の電流出力を持つ３ＶＤＣから１０００ＶＤＣまでの範囲にあるのが良い。
【００４６】
電力供給源ステージ１２としては、他の装置とインターフェースするための次の形式の入力／出力ハードウェア接続部、すなわち交流電流形式、すなわちＢ、ＢＳ、Ｃ、Ｄ、Ｅ、Ｆ、Ｈ、Ｊ、Ｋ、Ｌ、Ｉ、Ｎ、Ｍまたは直流電流形式、すなわちAnderson、Aispss、Ａｍｐ、バレル、シガーライターソケット／プラグ、Clipsal、同心バレル、Ｄｅａｎｓ、Ｄｉｎ、Ｄｕａｃ、ＥＩＡＪ、インバータタブ／ラグ、ＩＳＯ４１６５、ＪＳＢＰ、JST RCY 、Ｋｙｃｏｎ、MagSafe、ＭＣ４、Mini Din、Ｍｏｌｅｘ、Molex MicroFit、Molex Sabre 、Molex SR、Power Pack、ＳＲ、Ｔｉｐ、Ｓｅｌｆ、ＸＬＲ、またはＵＳＢが挙げられるが、これらには限定されない。電力供給源ステージ１２に使用できる直流電流電池形式としては、アルカリ、ニッケルカドミウム（ＮｉＣＤ）、ニッケル水素（ＮｉＭｈ）、ＮｉＺＮ、リチウム、リチウムイオン、鉛酸、ウェット／フラッデッド型、カルシウム‐カルシウム、ＶＲＬＡ（ＡＧＭ、ゲル）、Deep Cycle、二酸化コバルト、ＮＣＭ、ＮＣＡ、およびＦｅＰＯが挙げられるが、これらには限定されない。
【００４７】
電力供給源ステージ１２としては、このステージを具体化するのに必要な多種多様な電子コンポーネント、例えば、抵抗器、キャパシタ、ダイオード、ツェナーダイオード、トランジスタ（全系統およびタイプ）、集積回路（すなわちＣＭＯＳ、ＴＴＬ、Ｌｏｇｉｃ、全系統タイプなど）、ＬＥＤ、電圧調整器、石英、マイクロプロセッサ、メモリＩＣ（すなわちＲＡＭ、ＲＯＭ、Ｄ‐ＲＡＭ、Ｄ‐ＲＯＭ、ＳＤ‐ＲＡＭなど）、ツェナーダイオードなどおよび必要に応じて他の種々の電子コンポーネント一式が挙げられるが、これらには限定されない。当業者であれば、必要な電力供給源を作るのに必要なコンポーネントについて理解されよう。
【００４８】
周波数送信器ステージ１４は、入力電圧および電流源に応じて０．１Ｗから１ＭＷまでの範囲にある電力レベルを有する１ヘルツから１２８ギガヘルツまでの範囲にある周波数、高調波およびこれらの関連の変動状態周波数を出力することができる。周波数送信器ステージ１４の周波数および電力（特に、電力）の出力範囲は、どこか別の場所で言及した好ましい範囲よりも広い。どこか別の場所で言及した好ましい範囲は、記載した距離および火災に関する最適範囲として意図されている。好ましい範囲よりも極めて大きな電力出力は、例えば、最大５マイルまでの範囲にある火災は、約５０，０００Ｗの範囲の電力出力を用いて鎮静化できる。以下に詳細に説明するように、特定の周波数および電力範囲は、対応の持続時間と一緒に、本発明にとって特定の利益となる。出力周波数、高調波、およびこれらの関連の変動状態周波数は、入力電圧および電流源に応じて１ボルトから１ｋＶまでの範囲にある二乗平均（ＲＭＳ）値を有するのが良い。
【００４９】
上述したように、周波数送信器ステージ１４は、電力供給源ステージ１２から必要な電力を受け取り、使用し、あるいはかかる電力を電力供給源ステージ１２に送ることができるよう電力供給源ステージ１２に電子的に接続されている。周波数送信器ステージ１４もまた、電力供給源ステージ１２からデータ、通信、および制御情報を受け取り、使用し、またはデータ、通信、および制御情報を電力供給源ステージ１２に送ることができる。
周波数送信器ステージ１４としては、当業者によって理解されるように、このステージを具体化するのに必要な多種多様な電子コンポーネント、例えば、抵抗器、キャパシタ、ダイオード、ツェナーダイオード、トランジスタ（全系統およびタイプ）、集積回路（すなわちＣＭＯＳ、ＴＴＬ、Ｌｏｇｉｃ、全系統タイプなど）、ＬＥＤ、電圧調整器、石英、マイクロプロセッサ、メモリＩＣ（すなわちＲＡＭ、ＲＯＭ、Ｄ‐ＲＡＭ、Ｄ‐ＲＯＭ、ＳＤ‐ＲＡＭなど）、ツェナーダイオードなどおよび必要に応じて他の種々の電子コンポーネント一式が挙げられるが、これらには限定されない。
【００５０】
電子消火器１０は好ましくは、電力供給源ステージ１２をオフに切り替えるかあるいは電磁波の放出から周波数送信器ステージ１４を停止させるかのいずれかを行うための性質上電気的か機械的かのいずれかのオン／オフ機構体１６を有する。この機構体１６は、スライドスイッチ、プッシュスイッチ、タッチスイッチ、声または音起動式スイッチ、または電力が選択的に通過することができるようにする任意他の種類のスイッチであって良い。図１は、電力供給源ステージ１２と周波数送信器ステージ１４との間の接続状態で機構体１６を示しているが、機構体１６は、ステージ１２，１４かこれらの間の接続部かのいずれかに電気的に接続されても良い。
【００５１】
図２に示されているように、電子消火器１０の第２の好ましい実施形態は、同一の電力供給源ステージ１２と、同一の周波数送信器ステージ１４と、同一のオン／オフ機構体１６（図２には示されていない）と、ディスプレイドライバステージ１８とから成る。電力供給源ステージ１２、周波数送信器ステージ１４、およびオン／オフ機構体１６は、上述してある。ディスプレイドライバステージ１８は、好ましくは、他のステージ１２，１４に電気的に接続される。図２は、ディスプレイドライバステージ１８を電力供給源ステージ１２と周波数送信器ステージ１４との間に位置した状態で示しているが、これらの部品を任意の順序で組み立てることができる。
【００５２】
他のステージの場合と同様、ディスプレイドライバステージ１８は、電力供給源ステージ１２および／または周波数送信器ステージ１４から電力、データ、通信および制御情報を使用し、受け取り、あるいはかかる電力、データ、通信および制御情報を電力供給源ステージ１２および／または周波数送信器ステージ１４に送ることができる。ディスプレイドライバステージ１８は、好ましくは、他のステージ１２，１４と相互作用するよう構成されており、したがって、このディスプレイドライバステージは、好ましくは、入力電圧および出力信号についてほぼ同じ範囲を有する。
【００５３】
電力供給源ステージ１２、周波数送信器１４、および／またはディスプレイドライバステージ１８は、電力、データ、通信、および制御情報を電子消火器１０に入力することができまたは電力、データ、通信、および制御情報を電子消火器１０から出力することができる。出力の場合、電力、データ、通信、および制御情報を外部装置（図示せず）にエクスポートして、本発明が必要な電圧および電流を供給して接続状態の外部装置に電力供給することができる。
【００５４】
ステージ１２，１４，１８は、全ての共通の通信プロトコルとのインターフェースすることを含むのが良く、かかるプロトコルとしては、アドレス解決プロトコル（ＡＲＰ）、動的ホスト構成プロトコル（ＤＨＣＰ）、ドメイン名システム、ファイル転送プロトコル（ＦＴＰ）、ハイパーテキスト転送プロトコル（ＨＴＴＰ）、ハイパーテキスト転送プロトコルセキュア（ＨＴＴＰＳ）、インターネット・コントロール・メッセージ・プロトコル（ＩＣＭＰ）、インターネット・グループ・メッセージ・プロトコル（ＩＧＭＰ）、インターネット・グループ・マネジメント・プロトコル（ＩＧＭＰ）、インターネット・メッセージ・アクセス・プロトコル・バージョン４（ＩＭＡＰ４）、ネットワーク・タイム・プロトコル（ＮＴＰ）、ポスト・オフィス・プロトコル・バージョン３（ＰＯＰ３）、リアルタイム・トランスポート・プロトコル（ＲＴＰ）‐ボイス・オーバー・インターネット・プロトコル（ＶＯＩＰ）、セッション・イニシエーション・プロトコル（ＳＩＰ）‐ボイス・オーバー・インターネット・プロトコル（ＶＯＩＰ）、シンプル・メール・トランスファー・プロトコル（ＳＴＭＰ）、シンプル・ネットワーク・マネジメント・プロトコル・バージョン２または３（ＳＮＭＰ２／３）、セキュア・シェル（ＳＳＨ）、トランスミッション・コントロール・プロトコル／インターネット・プロトコル（ＴＣＰ／ＩＰ）、テルネット、トリビアル・ファイル転送プトロコル（ＴＦＴＰ）、トランスポート層セキュリティ（ＴＬＳ）、データグラム・プロトコル（ＵＤＰ）およびＷｉ‐Ｆｉプロトコル８０２．１１‐１９９７、８０２．１１ａ（ＯＦＤＭ波形）、８０２．１１ａ、８０２．１１ｂ、８０２．１１ｃ、８０２．１１ｇ、８０２．１１‐２００７、８０２．１１ｎ、８０２．１１‐２０１２、８０２．１１ａｃ、８０２．１１ａｄ、８０２．１１ａｆ、８０２．１１ａｈ、８０２．１１ａｉ、８０２．１１ａｊ、８０２．１１ａｑ、８０２．１１ａｘ、および８０２．１１ａｙが挙げられるが、これらには限定されない。
【００５５】
ディスプレイドライバステージ１８は、多種多様なビジュアルディスプレイによって情報の視覚的表示を具体化することができ、かかるビジュアルディスプレイとしては、液晶ディスプレイ（ＬＣＤ）、発光ディスプレイ（ＬＥＤ）、テキストの任意の色および画像の任意の色および背景の任意の色を有する蛍光およびプラズマディスプレイが挙げられるが、これらには限定されない。ディスプレイドライバステージ１８の目的は、ユーザに電子消火器１０の性能、送信、現在の状態および現在実施しているアクションまたはプロセスの視覚的説明を提供することにある。ディスプレイドライバステージ１８は、装置１０によって送信されている電子周波数および／または周波数パターンを示すことができる。
【００５６】
ディスプレイドライバステージ１８は、ビジュアルディスプレイの機能を具体化するのに必要な多種多様な電子コンポーネントならびに多種多様なビジュアルディスプレイを含むのが良く、電子コンポーネントとしては、抵抗器、キャパシタ、ダイオード、集積回路（すなわちＣＭＯＳ、ＴＴＬ、Ｌｏｇｉｃ、全系統タイプなど）、ＬＥＤ、電圧調整器、石英、マイクロプロセッサ、メモリＩＣ（すなわちＲＡＭ、ＲＯＭ、Ｄ‐ＲＡＭ、Ｄ‐ＲＯＭ、ＳＤ‐ＲＡＭなど）および必要に応じて他の種々の電子コンポーネント一式が挙げられ、ビジュアルディスプレイとしては、液晶ディスプレイ（ＬＣＤ）、発光ディスプレイ（ＬＥＤ）、蛍光およびプラズマディスプレイが挙げられるが、これらには限定されない。
【００５７】
図３に示されているように、電子消火器１０の第３の好ましい実施形態は、同一の電力供給源ステージ１２と、同一の周波数送信器ステージ１４と、同一のオン／オフ機構体１６（図示せず）と、同一のディスプレイドライバステージ１８と、入力／出力ステージ２０とから成る。電力供給源ステージ１２、周波数送信器ステージ１４、オン／オフ機構体１６、およびディスプレイドライバステージ１８は、上述してある。入力／出力ステージ２０は、好ましくは、他のステージ１２，１４，１８に電気的に接続される。図３は、入力／出力ステージ２０を電力供給源ステージ１２とディスプレイドライバステージ１８との間に位置した状態で示しているが、これらの部品を任意の順序で組み立てることができる。
【００５８】
他のステージの場合と同様、入力／出力ステージ２０は、電力供給源ステージ１２、周波数送信器ステージ１４、および／またはディスプレイドライバステージ１８から電力、データ、通信および制御情報を使用し、受け取り、あるいはかかる電力、データ、通信および制御情報を電力供給源ステージ１２、周波数送信器ステージ１４、および／またはディスプレイドライバステージ１８に送ることができる。入力／出力ステージ２０は、好ましくは、他のステージ１２，１４，１８と相互作用するよう構成されており、したがって、この入力／出力ステージ２０は、好ましくは、入力電圧および出力信号についてほぼ同じ範囲を有する。
【００５９】
入力／出力ステージ２０は、電子消火器１０の電力供給源ステージ１２、周波数送信器ステージ１４、および／またはディスプレイドライバステージ１８からの電力、データ、通信、および制御情報の入力または出力を容易にする。出力の場合、電力、データ、通信、および制御情報を外部装置（図示せず）にエクスポートして、本発明が必要な電圧および電流を供給して接続状態の外部装置に電力供給することができる。
【００６０】
他のステージの場合と同様、入力／出力ステージ２０は、以下の形式の入力／出力ハードウェア接続部を含むのが良いが、これらには限定されず、かかる入力／出力ハードウェア接続部としては、他の装置とインターフェースするための入力／出力ジャック／プラグ／ポート、交流電流形式、すなわちＢ、ＢＳ、Ｃ、Ｄ、Ｅ、Ｆ、Ｈ、Ｊ、Ｋ、Ｌ、Ｉ、Ｎ、Ｍまたは直流電流形式、すなわちAnderson、Aispss、Ａｍｐ、バレル、シガーライターソケット／プラグ、Clipsal、同心バレル、Ｄｅａｎｓ、Ｄｉｎ、Ｄｕａｃ、ＥＩＡＪ、インバータタブ／ラグ、ＩＳＯ４１６５、ＪＳＢＰ、JST RCY 、Ｋｙｃｏｎ、MagSafe、ＭＣ４、Mini Din、Ｍｏｌｅｘ、Molex MicroFit、Molex Sabre、Molex SR、Power Pack、ＳＲ、Ｔｉｐ、Ｓｅｌｆ、ＸＬＲ、またはＵＳＢが挙げられるが、これらには限定されない。
【００６１】
入力／出力ステージ２０は、上述したように、電力、データ、通信、および制御情報を電子消火器１０に入力することができまたは電力、データ、通信、および制御情報を電子消火器１０から出力することができる。入力／出力ステージ２０は、共通の通信プロトコルを利用することができ、かかる通信プロトコルとしては、アドレス解決プロトコル（ＡＲＰ）、動的ホスト構成プロトコル（ＤＨＣＰ）、ドメイン名システム、ファイル転送プロトコル（ＦＴＰ）、ハイパーテキスト転送プロトコル（ＨＴＴＰ）、ハイパーテキスト転送プロトコルセキュア（ＨＴＴＰＳ）、インターネット・コントロール・メッセージ・プロトコル（ＩＣＭＰ）、インターネット・グループ・メッセージ・プロトコル（ＩＧＭＰ）、インターネット・グループ・マネジメント・プロトコル（ＩＧＭＰ）、インターネット・メッセージ・アクセス・プロトコル・バージョン４（ＩＭＡＰ４）、ネットワーク・タイム・プロトコル（ＮＴＰ）、ポスト・オフィス・プロトコル・バージョン３（ＰＯＰ３）、リアルタイム・トランスポート・プロトコル（ＲＴＰ）‐ボイス・オーバー・インターネット・プロトコル（ＶＯＩＰ）、セッション・イニシエーション・プロトコル（ＳＩＰ）‐ボイス・オーバー・インターネット・プロトコル（ＶＯＩＰ）、シンプル・メール・トランスファー・プロトコル（ＳＴＭＰ）、シンプル・ネットワーク・マネジメント・プロトコル・バージョン２または３（ＳＮＭＰ２／３）、セキュア・シェル（ＳＳＨ）、トランスミッション・コントロール・プロトコル／インターネット・プロトコル（ＴＣＰ／ＩＰ）、テルネット、トリビアル・ファイル転送プトロコル（ＴＦＴＰ）、トランスポート層セキュリティ（ＴＬＳ）、データグラム・プロトコル（ＵＤＰ）およびＷｉ‐Ｆｉプロトコル８０２．１１‐１９９７、８０２．１１ａ（ＯＦＤＭ波形）、８０２．１１ａ、８０２．１１ｂ、８０２．１１ｃ、８０２．１１ｇ、８０２．１１‐２００７、８０２．１１ｎ、８０２．１１‐２０１２、８０２．１１ａｃ、８０２．１１ａｄ、８０２．１１ａｆ、８０２．１１ａｈ、８０２．１１ａｉ、８０２．１１ａｊ、８０２．１１ａｑ、８０２．１１ａｘ、および８０２．１１ａｙが挙げられるが、これらには限定されない。
【００６２】
入力／出力ステージ２０は、上述したのと同一のコンポーネントを含む電子消火器１０を具体化するのに必要な種々の電子コンポーネントを含むのが良い。
【００６３】
図４に示されているように、電子消火器１０の第４の好ましい実施形態は、同一の電力供給源ステージ１２と、同一の周波数送信器ステージ１４と、同一のオン／オフ機構体１６（図示せず）と、同一のディスプレイドライバステージ１８と、同一の入力／出力ステージ２０と、および受信器ステージ２２とから成る。電力供給源ステージ１２、周波数送信器ステージ１４、オン／オフ機構体１６、およびディスプレイドライバステージ１８、および入力／出力ステージ２０は、上述してある。受信器ステージ２２は、好ましくは、他のステージ１２，１４，１８，２０に電気的に接続される。図４は、受信器ステージ２２を周波数送信器ステージ１４とディスプレイドライバステージ１８との間に位置した状態で示しているが、これらの部品を任意の順序で組み立てることができる。
【００６４】
他のステージの場合と同様、受信器ステージ２２は、電力供給源ステージ１２、周波数送信器ステージ１４、および／またはディスプレイドライバステージ１８から電力、データ、通信および制御情報を使用し、受け取り、あるいはかかる電力、データ、通信および制御情報を電力供給源ステージ１２、周波数送信器ステージ１４、および／またはディスプレイドライバステージ１８に送ることができる。受信器ステージ２２は、好ましくは、他のステージ１２，１４，１８，２０と相互作用するよう構成されており、したがって、この受信器ステージ２２は、好ましくは、入力電圧および出力信号についてほぼ同じ範囲を有する。
【００６５】
受信器ステージ２２は、本発明によって分析されるべき火災によって生じた信号または周波数を受け取るよう構成されている。受信器ステージ２２の受信周波数は、電子消火器１０が火災それ自体持続する能力を途絶するためにどの周波数および／またはパターンを生じさせなければならないかを定めるのを助ける。
【００６６】
図５に示されているように、電子消火器１０の第５の好ましい実施形態は、同一の電力供給源ステージ１２と、同一の周波数送信器ステージ１４と、同一のオン／オフ機構体１６（図示せず）と、同一のディスプレイドライバステージ１８と、同一の入力／出力ステージ２０と、同一の受信器ステージ２２と、受信周波数分析器ステージ２４とから成る。電力供給源ステージ１２、周波数送信器ステージ１４、オン／オフ機構体１６、ディスプレイドライバステージ１８、入力／出力ステージ２０、および受信器ステージ２２については、上述してある。受信周波数分析器ステージ２４は、好ましくは、他のステージ１２，１４，１８，２０，２２に電気的に接続される。図５は、受信周波数分析器ステージ２４を周波数送信器ステージ１４と受信器ステージ２２との間に位置した状態で（または、電力供給源ステージ１２と並列の状態で）示しているが、これらの部品を任意の順序で組み立てることができる。
【００６７】
他のステージの場合と同様、受信周波数分析器ステージ２４は、電力供給源ステージ１２、周波数送信器ステージ１４、ディスプレイドライバステージ１８、入力／出力ステージ２０、および／または受信器ステージ２２から電力、データ、通信および制御情報を使用し、受け取り、あるいはかかる電力、データ、通信および制御情報を電力供給源ステージ１２、周波数送信器ステージ１４、ディスプレイドライバステージ１８、入力／出力ステージ２０、および／または受信器ステージ２２に送ることができる。受信周波数分析器ステージ２４は、好ましくは、他のステージ１２，１４，１８，２０，２２と相互作用するよう構成されており、したがって、この受信器ステージ２２は、好ましくは、入力電圧および出力信号についてほぼ同じ範囲を有する。
【００６８】
受信周波数分析器ステージ２４は、上述したように分析されるべき火災によって生じた信号または周波数を受け取るよう受信器ステージ２２と関連して働く。受信周波数分析器ステージ２４は、火災がそれ自体持続するのを阻止するために最適伝送周波数を求めるよう受信器ステージ２２によって受信された信号および周波数を分析することができる。この分析プロセスは、ソフトウェア、ソフトウェアサブルーチン、量子メカニクス、核物理学、分子化学、原子、元素、および分子運動検出器（ハードウェアおよびソフトウェア）、大気動態ディターミナ（determier）（ハードウェアおよびソフトウェア）、および必要に応じて追加のセンサおよび検出器の使用を含むのが良いが、これらには限定されない。
【００６９】
図６に示されているように、電子消火器１０の第６の好ましい実施形態は、同一の電力供給源ステージ１２と、同一の周波数送信器ステージ１４と、同一のオン／オフ機構体１６（図示せず）と、同一のディスプレイドライバステージ１８と、同一の入力／出力ステージ２０と、同一の受信器ステージ２２と、同一の受信周波数分析器ステージ２４と、制御装置ステージ２６とから成る。電力供給源ステージ１２、周波数送信器ステージ１４、オン／オフ機構体１６、ディスプレイドライバステージ１８、入力／出力ステージ２０、受信器ステージ２２、および受信周波数分析器ステージ２４については、上述してある。制御装置ステージ２６は、好ましくは、他のステージ１２，１４，１８，２０，２２，２４に電気的に接続される。図６は、制御装置ステージ２６をディスプレイドライバステージ１８と受信周波数分析器ステージ２４との間に位置した状態で（または、電力供給源ステージ１２と並列の状態で）示しているが、これらの部品を任意の順序で組み立てることができる。
【００７０】
他のステージの場合と同様、制御装置ステージ２６は、電力供給源ステージ１２、周波数送信器ステージ１４、ディスプレイドライバステージ１８、入力／出力ステージ２０、受信器ステージ２２、および／または受信周波数分析器ステージ２４から電力、データ、通信および制御情報を使用し、受け取り、あるいはかかる電力、データ、通信および制御情報を電力供給源ステージ１２、周波数送信器ステージ１４、ディスプレイドライバステージ１８、入力／出力ステージ２０、受信器ステージ２２、および／または受信周波数分析器ステージ２４に送ることができる。制御装置ステージ２６は、好ましくは、他のステージ１２，１４，１８，２０，２２，２４と相互作用するよう構成されており、したがって、この制御装置ステージ２６は、好ましくは、入力電圧および出力信号についてほぼ同じ範囲を有する。
【００７１】
制御装置ステージ２６は、周波数の伝送を電子的に調整し、条件付け、または変更するとともに電子消火器１０の他のステージのうちの任意のものを制御するよう動作する。この制御装置ステージ２６は、受信周波数分析器ステージ２４と関連して働くのが良く、そしてソフトウェア、ソフトウェアサブルーチン、量子メカニクス、核物理学、分子化学、原子、元素、および分子運動検出器（ハードウェアおよびソフトウェア）、大気動態ディターミナ（ハードウェアおよびソフトウェア）、および必要に応じて追加のセンサおよび検出器を利用するのが良い。
【００７２】
図７に示されているように、電子消火器１０の第７の好ましい実施形態は、同一の電力供給源ステージ１２と、同一の周波数送信器ステージ１４と、同一のオン／オフ機構体１６（図示せず）と、同一のディスプレイドライバステージ１８と、同一の入力／出力ステージ２０と、同一の受信器ステージ２２と、同一の受信周波数分析器ステージ２４と、同一の制御装置ステージ２６と、第２の受信周波数分析器ステージ２８とから成る。電力供給源ステージ１２、周波数送信器ステージ１４、オン／オフ機構体１６、ディスプレイドライバステージ１８、入力／出力ステージ２０、受信器ステージ２２、受信周波数分析器ステージ２４、および制御装置ステージ２６については、上述してある。第２の受信周波数分析器ステージ２８は、好ましくは、他のステージ１２，１４，１８，２０，２２，２４，２６に電気的に接続される。図７は、第２の受信周波数分析器ステージ２８を入力／出力ステージ２０と制御装置ステージ２６との間に位置した状態で（または、電力供給源ステージ１２と並列の状態で）示しているが、これらの部品を任意の順序で組み立てることができる。
【００７３】
他のステージの場合と同様、第２の受信周波数分析器ステージ２８は、電力供給源ステージ１２、周波数送信器ステージ１４、ディスプレイドライバステージ１８、入力／出力ステージ２０、受信器ステージ２２、受信周波数分析器ステージ２４、および／または制御装置ステージ２６から電力、データ、通信および制御情報を使用し、受け取り、あるいはかかる電力、データ、通信および制御情報を電力供給源ステージ１２、周波数送信器ステージ１４、ディスプレイドライバステージ１８、入力／出力ステージ２０、受信器ステージ２２、受信周波数分析器ステージ２４、および／または制御装置ステージ２６に送ることができる。第２の受信周波数分析器ステージ２８は、好ましくは、他のステージ１２，１４，１８，２０，２２，２４，２６と相互作用するよう構成されており、したがって、この第２の受信周波数分析器ステージ２８は、好ましくは、入力電圧および出力信号についてほぼ同じ範囲を有する。
【００７４】
第２の受信周波数分析器ステージ２８は、好ましくは、受信器ステージ２２、受信周波数分析器ステージ２４、および制御装置ステージ２６と協働して火災への周波数の伝送をより効果的に電子的に調整し、条件付け、または変更する。第２の受信周波数分析器ステージ２８により、電子消火器１０は、火災中に伝送されている互いに異なる周波数の因果関係（火災に対するｄｘ差）を求めることによってその放出周波数波動パターンを微調整することができ、それにより電子消火器１０は、より迅速かつより効果的な消火プロセスを得るために伝送周波数を最適化することができる。この第２の受信周波数分析器ステージ２８は、受信周波数分析器ステージ２４と関連して働くのが良く、そしてソフトウェア、ソフトウェアサブルーチン、量子メカニクス、核物理学、分子化学、原子、元素、および分子運動検出器（ハードウェアおよびソフトウェア）、大気動態ディターミナ（ハードウェアおよびソフトウェア）、および必要に応じて追加のセンサおよび検出器を利用するのが良い。
【００７５】
図８に示されているように、電子消火器１０の第８の好ましい実施形態は、同一の電力供給源ステージ１２と、同一の周波数送信器ステージ１４と、同一のオン／オフ機構体１６（図示せず）と、同一のディスプレイドライバステージ１８と、同一の入力／出力ステージ２０と、同一の受信器ステージ２２と、同一の受信周波数分析器ステージ２４と、同一の制御装置ステージ２６と、同一の第２の受信周波数分析器ステージ２８と、第２の受信器ステージ３０とから成る。電力供給源ステージ１２、周波数送信器ステージ１４、オン／オフ機構体１６、ディスプレイドライバステージ１８、入力／出力ステージ２０、受信器ステージ２２、受信周波数分析器ステージ２４、制御装置ステージ２６、および第２の受信周波数分析器ステージ２８については、上述してある。第２の受信器ステージ３０は、好ましくは、他のステージ１２，１４，１８，２０，２２，２４，２６，２８に電気的に接続される。図８は、第２の受信器ステージ３０を入力／出力ステージ２０と制御装置ステージ２６との間に位置した状態で（または、電力供給源ステージ１２と並列の状態で）示しているが、これらの部品を任意の順序で組み立てることができる。
【００７６】
他のステージの場合と同様、第２の受信器ステージ３０は、電力供給源ステージ１２、周波数送信器ステージ１４、ディスプレイドライバステージ１８、入力／出力ステージ２０、受信器ステージ２２、受信周波数分析器ステージ２４、制御装置ステージ２６、および／または第２の受信周波数分析器ステージ２８から電力、データ、通信および制御情報を使用し、受け取り、あるいはかかる電力、データ、通信および制御情報を電力供給源ステージ１２、周波数送信器ステージ１４、ディスプレイドライバステージ１８、入力／出力ステージ２０、受信器ステージ２２、受信周波数分析器ステージ２４、制御装置ステージ２６、および／または第２の受信周波数分析器ステージ２８に送ることができる。第２の受信器ステージ３０は、好ましくは、他のステージ１２，１４，１８，２０，２２，２４，２６，２８と相互作用するよう構成されており、したがって、この第２の受信器ステージ３０は、好ましくは、入力電圧および出力信号についてほぼ同じ範囲を有する。
【００７７】
第２の受信器ステージ３０は、好ましくは、第２の受信周波数分析器ステージ２８および制御装置ステージ２６と協働して電子周波数波動を受けた状態で存在している火災の部分とは異なる火災の部分の分析に取り組む。第２の受信器ステージ３０は、電子消火器１０が現在取り組んでいる火災の区分の伝送および消火プロセスを完了させる前に、火災の次の区分から周波数を受け取るよう構成される。このように、電子消火器は、火災をより迅速かつより効果的に消すよう適正かつ最も効果的な伝送周波数を既に決定することができる。第２の受信周波数分析器ステージ２８は、次に、迅速な消火プロセスおよび完了のために早めに特定の伝送パターンの原因と結果を分析することができる。かかるステージ３０は、ソフトウェア、ソフトウェアサブルーチン、量子メカニクス、核物理学、分子化学、原子、元素、および分子運動検出器（ハードウェアおよびソフトウェア）、大気動態ディターミナ（ハードウェアおよびソフトウェア）、および必要に応じて追加のセンサおよび検出器を使用するのが良い。
【００７８】
図９に示されているように、電子消火器１０の第９の好ましい実施形態は、同一の電力供給源ステージ１２と、同一の周波数送信器ステージ１４と、同一のオン／オフ機構体１６（図示せず）と、同一のディスプレイドライバステージ１８と、同一の入力／出力ステージ２０と、同一の受信器ステージ２２と、同一の受信周波数分析器ステージ２４と、同一の制御装置ステージ２６と、同一の第２の受信周波数分析器ステージ２８と、同一の第２の受信器ステージ３０と、第２の制御装置ステージ３２とから成る。電力供給源ステージ１２、周波数送信器ステージ１４、オン／オフ機構体１６、ディスプレイドライバステージ１８、入力／出力ステージ２０、受信器ステージ２２、受信周波数分析器ステージ２４、制御装置ステージ２６、第２の受信周波数分析器ステージ２８、および第２の受信器ステージ３０については、上述してある。第２の制御装置ステージ３２は、好ましくは、他のステージ１２，１４，１８，２０，２２，２４，２６，２８，３０に電気的に接続される。図９は、第２の制御装置ステージ３２を周波数送信器ステージ１４と第２の受信周波数分析器ステージ２８との間に位置した状態で示しているが、これらの部品を任意の順序で組み立てることができる。
【００７９】
他のステージの場合と同様、第２の制御装置ステージ３２は、電力供給源ステージ１２、周波数送信器ステージ１４、ディスプレイドライバステージ１８、入力／出力ステージ２０、受信器ステージ２２、受信周波数分析器ステージ２４、制御装置ステージ２６、第２の受信周波数分析器ステージ２８、および／または第２の受信器ステージ３０から電力、データ、通信および制御情報を使用し、受け取り、あるいはかかる電力、データ、通信および制御情報を電力供給源ステージ１２、周波数送信器ステージ１４、ディスプレイドライバステージ１８、入力／出力ステージ２０、受信器ステージ２２、受信周波数分析器ステージ２４、制御装置ステージ２６、第２の受信周波数分析器ステージ２８、および／または第２の受信器ステージ３０に送ることができる。第２の制御装置ステージ３２は、好ましくは、他のステージ１２，１４，１８，２０，２２，２４，２６，２８，３０と相互作用するよう構成されており、したがって、この第２の制御装置ステージ３２は、好ましくは、入力電圧および出力信号についてほぼ同じ範囲を有する。
【００８０】
第２の制御装置ステージ３２は、好ましくは、第２の受信周波数分析器ステージ２８と協働して周波数パターンの伝送を調整し、条件付け、または変更して、本発明におけるステージの任意のものを制御する。第２の制御装置ステージ３２は、ソフトウェア、ソフトウェアサブルーチン、量子メカニクス、核物理学、分子化学、原子、元素、および分子運動検出器（ハードウェアおよびソフトウェア）、大気動態ディターミナ（ハードウェアおよびソフトウェア）、および必要に応じて追加のセンサおよび検出器の使用を含むのが良いが、これらには限定されない。
【００８１】
電子消火器１０の種々のステージがどのように構成されて接続されているかについての詳細は、電力が供給されるとともに電子周波数が本明細書において説明した周波数およびパターンと一致して放出されている限り、本発明にとって重要ではない。当業者であれば、言及した要件を満たすことができる装置／ステージをどのように構成するかについては理解されよう。かかる当業者は、本明細書において説明した特定の実施形態、方法、および実施例の変形、組み合わせ、および均等例の存在を理解するとともに正当に評価するであろう。したがって、本発明は、上述の実施形態、方法、および実施例によってではなく、本発明の範囲および精神に含まれる全ての実施形態および方法によって限定されるべきである。したがって、本発明は、特許請求の範囲に記載された本発明による場合を除いて限定されることはない。
【図１】
2020506022.tif 000011
【図２】
2020506022.tif 000012
【図３】
2020506022.tif 000013
【図４】
2020506022.tif 000014
【図５】
2020506022.tif 000015
【図６】
2020506022.tif 000016
【図７】
2020506022.tif 000017
【図８】
2020506022.tif 000018
【図９】
2020506022.tif 000019
【手続補正書】
【提出日】令和1年10月23日(2019.10.23)
【手続補正１】
【補正対象書類名】特許請求の範囲
【補正対象項目名】全文
【補正方法】変更
【補正の内容】
【特許請求の範囲】
【請求項１】
火災における燃焼を電子的に鎮静化する方法であって、
電磁波送信器を用意するステップを含み、
前記電磁波送信器によって生じた周波数波動パターンを前記火災中に差し向けるステップを含み、前記周波数波動パターンは、各々が２．５Ｈｚから１２８．０ＧＨｚまでの範囲にある周波数を有する２つまたは３つ以上の電磁波を含み、
前記周波数波動パターン中の各電磁波は、前記周波数波動パターン中の前の電磁波に対して昇順か降順かのいずれかの順序付けられた移行を有し、
前記周波数波動パターンによって前記火災中の燃焼成分の相互作用を阻止するステップを含む、方法。
【請求項２】
前記周波数波動パターン中の各電磁波は、最大１，０００フィート（３０４．８ｍ）離れたところまで火災について２．５Ｈｚから１２８．０ＧＨｚまでの範囲の周波数および０．１Ｗから４．０Ｗまでの範囲の電力を有し、前記周波数波動パターン中の各電磁波の周波数と電力は、反比例の関係を有する、請求項１記載の方法。
【請求項３】
前記周波数波動パターン中の各電磁波は、前記火災を消すまでの持続時間を有する前記周波数波動パターン中の最終の電磁波を除き、０．１秒から１０秒までの範囲の持続時間を有する、請求項１記載の方法。
【請求項４】
前記阻止ステップは、
前記燃焼成分周波数波動パターンから荷電粒子または荷電場を生成するステップと、
前記荷電粒子または前記荷電場との相互作用によって前記燃焼成分をはじくステップとを含む、請求項１記載の方法。
【請求項５】
前記周波数波動パターン中の各電磁波は、前記火災中の燃焼成分と高調波共振を開始し、前記周波数波動パターンは、前記火災中の前記燃焼成分と自然高調和周波数を定めるよう前記火災の動作振動数を変更する、請求項１記載の方法。
【請求項６】
前記周波数波動パターンは、
・２．９８Ｗの電力で３．５７３Ｈｚの周波数および２．８３秒の持続時間を有する第１の電磁波と、
・２．７５Ｗの電力で１７．６３２Ｈｚの周波数および３．８９秒の持続時間を有する第２の電磁波と、
・２．５７Ｗの電力で４５．８９５Ｈｚの周波数および前記火災を消すまでの連続持続時間を有する第３の電磁波とを含む、請求項１記載の方法。
【請求項７】
前記周波数波動パターンは、
・２．８９Ｗの電力で４．６８９Ｈｚの周波数および４．１３秒の持続時間を有する第１の電磁波と、
・２．７４Ｗの電力で９．３６７Ｈｚの周波数および５．１２秒の持続時間を有する第２の電磁波と、
・２．２５Ｗの電力で３０１．４８２Ｈｚの周波数および前記火災を消すまでの連続持続時間を有する第３の電磁波とを含む、請求項１記載の方法。
【請求項８】
前記周波数波動パターンは、
・２．７７Ｗの電力で１０４．７９４ＫＨｚの周波数および４．９２秒の持続時間を有する第１の電磁波と、
・２．４９Ｗの電力で５４２．２９６ＭＨｚの周波数および５．７９秒の持続時間を有する第２の電磁波と、
・１．６９Ｗの電力で６６．３１２ＧＨｚの周波数および前記火災を消すまでの連続持続時間を有する第３の電磁波とを含む、請求項１記載の方法。
【請求項９】
前記周波数波動パターンは、
・２．９９Ｗの電力で５．１３５Ｈｚの周波数および１．７４秒の持続時間を有する第１の電磁波と、
・２．５９Ｗの電力で２２．１３５ＫＨｚの周波数および２．６９秒の持続時間を有する第２の電磁波と
・２．２９Ｗの電力で２９．５１３ＭＨｚの周波数および６．６７秒の持続時間を有する第３の電磁波と
・２．１１Ｗの電力で２４３．５４３ＭＨｚの周波数および前記火災を消すまでの連続持続時間を有する第４の電磁波とを含む、請求項１記載の方法。
【請求項１０】
前記周波数波動パターンは、
・２．９４Ｗの電力で１７．３７４Ｈｚの周波数および３．９３秒の持続時間を有する第１の電磁波と、
・２．９５Ｗの電力で２．８３１ＫＨｚの周波数および４．９１秒の持続時間を有する第２の電磁波と
・１．５３Ｗの電力で１４．８２１ＧＨｚの周波数および５．３１秒の持続時間を有する第３の電磁波と
・０．７０Ｗの電力で１２７．３４１ＧＨｚの周波数および前記火災を消すまでの連続持続時間を有する第４の電磁波とを含む、請求項１記載の方法。
【請求項１１】
前記周波数波動パターンは、
・２．９５Ｗの電力で９．０４９Ｈｚの周波数および３．４６秒の持続時間を有する第１の電磁波と、
・２．１７Ｗの電力で１．６３７ＭＨｚの周波数および４．３９秒の持続時間を有する第２の電磁波と
・１．９３Ｗの電力で２．７１９ＧＨｚの周波数および４．８９秒の持続時間を有する第３の電磁波と
・１．１７Ｗの電力で２６．１９８ＧＨｚの周波数および５．５６秒の持続時間を有する第４の電磁波と
・０．６３Ｗの電力で６１．９１４ＧＨｚの周波数および前記火災を消すまでの連続持続時間を有する第５の電磁波とを含む、請求項１記載の方法。
【請求項１２】
前記周波数波動パターンは、
・２．９１Ｗの電力で２５９．７２６ＫＨｚの周波数および５．１３秒の持続時間を有する第１の電磁波と、
・２．７１Ｗの電力で８０３．６７３ＫＨｚの周波数および５．２９秒の持続時間を有する第２の電磁波と
・１．９７Ｗの電力で２６．４８６ＭＨｚの周波数および５．６２秒の持続時間を有する第３の電磁波と
・１．３８Ｗの電力で１．８５１ＧＨｚの周波数および６．８４秒の持続時間を有する第４の電磁波と
・０．９５Ｗの電力で２９．９３６ＧＨｚの周波数および前記火災を消すまでの連続持続時間を有する第５の電磁波とを含む、請求項１記載の方法。
【請求項１３】
電子火災鎮静化装置であって、
３Ｖ〜１０００Ｖ交流電流または直流電流および１００ｍＡｈ〜１ｋＡｈの電流出力を有するよう構成された電力供給源と、
前記電力供給源に電気的に接続されるとともに各々が２．５Ｈｚから１２８ＧＨｚまでの範囲の周波数を有する２つまたは３つ以上の電磁波の周波数波動パターンを発生させるよう構成された電磁波送信器とを有し、
前記周波数波動パターン中の各電磁波は、前記周波数波動パターン中の前の電磁波に対して昇順か降順かのいずれかの順序付けられた移行を有する、
電子火災鎮静化装置。
【請求項１４】
前記電力供給源に電気的に接続されるとともに火災の標的部分中の燃焼成分の動作周波数を検出するよう構成された電磁波受信器と、
前記電磁波受信器および前記電磁波送信器に電気的に接続された受信周波数分析器とをさらに有し、前記受信周波数分析器は、前記火災の前記標的部分中の燃焼成分の前記動作周波数を分析して前記電磁波送信器によって生じた前記周波数波動パターンが前記火災中の前記燃焼成分と自然高調波周波数を定めるようにするよう構成されている、請求項１３記載の電子火災鎮静化装置。
【請求項１５】
前記電磁波送信器および前記受信周波数分析器に電気的に接続された制御装置をさらに有し、前記制御装置は、前記２つまたは３つ以上の電磁波の各々の周波数、電力および持続時間を含む前記周波数波動パターンの発生を調節するよう構成されている、請求項１４記載の電子火災鎮静化装置。
【請求項１６】
第２の受信周波数分析器をさらに有し、前記第２の受信周波数分析器は、前記燃焼成分との前記自然高調波周波数を最適化するよう前記火災中の前記燃焼成分に対する前記周波数波動パターンの作用効果を分析するよう構成されている、請求項１５記載の電子火災鎮静化装置。
【請求項１７】
第２の電磁波受信器をさらに有し、前記第２の電磁波受信器は、前記火災の第２の部分中の燃焼成分の動作周波数を検出するよう構成されている、請求項１６記載の電子火災鎮静化装置。
【請求項１８】
前記電磁波送信器および前記第２の受信周波数分析器に電気的に接続された第２の制御装置をさらに有し、前記第２の制御装置は、前記火災鎮静化装置が前記火災の前記標的部分に向けられたとき、各電磁波の周波数、電力および持続時間を含む第２の周波数波動パターンを発生させるよう前記電磁波送信器をプログラムするよう構成されている、請求項１７記載の電子火災鎮静化装置。
【請求項１９】
火災における燃焼を電子的に鎮静化する方法であって、
電磁波送信器を用意するステップを含み、
前記電磁波送信器によって生じた周波数波動パターンを前記火災中に差し向けるステップを含み、前記周波数波動パターンは、各々が２．５Ｈｚから１２８．０ＧＨｚまでの範囲にある周波数を有する２つまたは３つ以上の電磁波を含み、
前記周波数波動パターンは、３．５７３Ｈｚの周波数を有する第１の電磁波と、１７．６３２Ｈｚの周波数を有する第２の電磁波と、４５．８９５Ｈｚの周波数を有する第３の電磁波とを含み、
前記周波数波動パターンによって前記火災中の燃焼成分の相互作用を阻止するステップを含む、方法。
【国際調査報告】
2020506022.tif 000020